(57)【要約】【課題】インク吐出面をヘッド幅方向全域にわたって清浄化することが可能なヘッドクリーニング機構及びそれを備えたインクジェット記録装置を提供する。【解決手段】ヘッドクリーニング機構は、記録ヘッド１７ａ〜１７ｃと、ワイパー３５ａ〜３５ｃと、を備える。記録ヘッド１７ａ〜１７ｃは、インク吐出口１８ａが開口するインク吐出面Ｆ１を有するヘッド部１８と、ヘッド部１８に対してワイピング方向の上流側に配置され、クリーニング液２３を供給するクリーニング液供給口６０ａが開口する下面Ｆ２を有するクリーニング液供給部材６０と、によって構成されている。下面Ｆ２は、インク吐出面Ｆ１のワイピング方向の上流側に隣接して配置される。下面Ｆ２のヘッド幅方向の長さＬ６０は、インク吐出面Ｆ１のヘッド幅方向の長さＬ１８よりも大きい。【選択図】図４
2018130931.tif 000002
【特許請求の範囲】
【請求項１】
記録媒体上にインクを吐出する複数のインク吐出口が開口するインク吐出面と、クリーニング液を供給する複数のクリーニング液供給口が開口するクリーニング液供給面と、を含む記録ヘッドと、
前記インク吐出面を所定方向に拭くワイパーと、
を備え、
前記記録ヘッドは、前記インク吐出面を有するインク吐出ヘッド部と、前記インク吐出ヘッド部に対して前記インク吐出面を前記ワイパーが拭く方向であるワイピング方向の上流側に配置され、前記クリーニング液供給面を有するクリーニング液供給ヘッド部と、によって構成されており、
前記クリーニング液供給面は、前記インク吐出面と平行に配置されるとともに前記インク吐出面の前記ワイピング方向の上流側に隣接して配置される下面を含み、
前記下面の前記ワイピング方向と直交するヘッド幅方向の長さは、前記インク吐出面の前記ヘッド幅方向の長さよりも大きいことを特徴とするヘッドクリーニング機構。
【請求項２】
前記クリーニング液供給ヘッド部の前記ワイピング方向の下流側の部分には、前記インク吐出面の端部の下方に重なる薄板部が形成されており、
前記下面と前記インク吐出面との境界部分には、前記薄板部の厚み分の段差が形成されていることを特徴とする請求項１に記載のヘッドクリーニング機構。
【請求項３】
前記ワイパーの前記ヘッド幅方向の長さは、前記下面の前記ヘッド幅方向の長さよりも大きく、
前記下面の前記ワイピング方向の下流側の端部の２つのコーナー部は、平面視においてＲ形状を有するように形成されていることを特徴とする請求項１または２に記載のヘッドクリーニング機構。
【請求項４】
前記コーナー部の曲率半径は、前記下面の前記インク吐出面に対する前記ヘッド幅方向の突出量以上の大きさであることを特徴とする請求項３に記載のヘッドクリーニング機構。
【請求項５】
前記ワイパーの前記ヘッド幅方向の長さは、前記下面の前記ヘッド幅方向の長さよりも大きく、
前記下面の前記ワイピング方向の下流側の端部は、平面視において半円形状に形成されていることを特徴とする請求項２に記載のヘッドクリーニング機構。
【請求項６】
請求項１〜５のいずれか１項に記載のヘッドクリーニング機構を備えることを特徴とするインクジェット記録装置。
【発明の詳細な説明】
【技術分野】
【０００１】
本発明は、用紙のような記録媒体にインクを吐出するインク吐出口が開口するインク吐出面を有する記録ヘッドを含むヘッドクリーニング機構及びそれを備えたインクジェット記録装置に関するものである。
【背景技術】
【０００２】
ファクシミリ、複写機、プリンターのような記録装置として、インクを吐出して画像を形成するインクジェット記録装置が、高精細な画像を形成できることから広く用いられている。
【０００３】
このようなインクジェット記録装置では、画像記録のためのインク滴と共に吐出される微小なインク滴（以下、ミストと称する）や、インク滴が記録媒体に付着した際に発生する跳ね返りミストが、記録ヘッドのインク吐出面に付着して固化する。インク吐出面のミストが徐々に増加しインク吐出口に重なると、インクの直進性の悪化（飛翔曲がり）や不吐出等が発生して記録ヘッドの印字性能が低下する。
【０００４】
そこで、記録ヘッドのインク吐出面を清浄化するために、インク吐出面のうちの複数のインク吐出口が開口するインク吐出領域の外側（ワイパーのワイピング方向上流側）の部分に、クリーニング液供給口を複数個設けたインクジェット記録装置が知られている。このインクジェット記録装置では、クリーニング液供給口からクリーニング液を供給した後、ワイパーをクリーニング液供給口よりも外側からインク吐出面に沿って移動させることによって、ワイパーでクリーニング液を保持しながらインク吐出面を拭くことができる。このようにして、記録ヘッドの回復処理を行うことができる。
【０００５】
なお、記録ヘッドのインク吐出面にクリーニング液供給口を複数個設けたインクジェット記録装置は、例えば特許文献１に開示されている。
【先行技術文献】
【特許文献】
【０００６】
【特許文献１】特開２００７−８３４９６号公報
【発明の概要】
【発明が解決しようとする課題】
【０００７】
ところで、記録ヘッドを、インクを吐出するインク吐出ヘッド部と、インク吐出ヘッド部に対してワイピング方向の上流側に配置され、クリーニング液を供給するクリーニング液供給ヘッド部と、によって構成することが考えられる。この場合、クリーニング液供給ヘッド部の下面にクリーニング液を供給した後、ワイパーをクリーニング液供給口よりもワイピング方向上流側からインク吐出面に向かって移動させることによって、ワイパーでクリーニング液を保持しながらインク吐出面を拭くことができる。
【０００８】
しかしながら、記録ヘッドをインク吐出ヘッド部とクリーニング液供給ヘッド部とによって構成する場合、インク吐出ヘッド部とクリーニング液供給ヘッド部とがワイピング方向と直交するヘッド幅方向にずれて配置されてしまうと、インク吐出面のヘッド幅方向の一端がクリーニング液供給ヘッド部の下面に対してヘッド幅方向に突出する。この場合、インク吐出面のヘッド幅方向の一端の近傍にはクリーニング液供給ヘッド部の下面のクリーニング液が供給されないので、インク吐出面をヘッド幅方向全域にわたって清浄化することが困難であるという問題点がある。
【０００９】
本発明は、上記のような課題を解決するためになされたものであり、本発明の目的は、インク吐出面をヘッド幅方向全域にわたって清浄化することが可能なヘッドクリーニング機構及びそれを備えたインクジェット記録装置を提供することである。
【課題を解決するための手段】
【００１０】
上記目的を達成するために、本発明の第１の局面のヘッドクリーニング機構は、記録媒体上にインクを吐出する複数のインク吐出口が開口するインク吐出面と、クリーニング液を供給する複数のクリーニング液供給口が開口するクリーニング液供給面と、を含む記録ヘッドと、インク吐出面を所定方向に拭くワイパーと、を備える。記録ヘッドは、インク吐出面を有するインク吐出ヘッド部と、インク吐出ヘッド部に対してインク吐出面をワイパーが拭く方向であるワイピング方向の上流側に配置され、クリーニング液供給面を有するクリーニング液供給ヘッド部と、によって構成されている。クリーニング液供給面は、インク吐出面と平行に配置されるとともにインク吐出面のワイピング方向の上流側に隣接して配置される下面を含む。下面のワイピング方向と直交するヘッド幅方向の長さは、インク吐出面のヘッド幅方向の長さよりも大きい。
【発明の効果】
【００１１】
本発明の第１の局面のヘッドクリーニング機構によれば、記録ヘッドは、インクを吐出するインク吐出ヘッド部と、クリーニング液を供給するクリーニング液供給ヘッド部と、によって構成されている。これにより、記録ヘッドにおけるインク通過経路とクリーニング液通過経路とを別々の部材（インク吐出ヘッド部およびクリーニング液供給ヘッド部）に形成することができるので、記録ヘッドの構造が複雑になるのを抑制することができる。
【００１２】
また、クリーニング液供給ヘッド部の下面のヘッド幅方向の長さは、インク吐出面のヘッド幅方向の長さよりも大きい。これにより、インク吐出ヘッド部とクリーニング液供給ヘッド部とがヘッド幅方向にずれて配置されたとしても、インク吐出面のヘッド幅方向の一端がクリーニング液供給ヘッド部の下面に対してヘッド幅方向に突出するのを抑制することができる。このため、クリーニング液供給ヘッド部の下面のクリーニング液をインク吐出面のヘッド幅方向全域にわたって供給することができるので、インク吐出面をヘッド幅方向全域にわたって清浄化することができる。
【図面の簡単な説明】
【００１３】
【図１】本発明の一実施形態のヘッドクリーニング機構を備えたインクジェット記録装置の構造を示す図
【図２】図１に示すインクジェット記録装置の第１搬送ユニット及び記録部を上方から見た図
【図３】記録部のラインヘッドを構成する記録ヘッドの図
【図４】記録ヘッドをインク吐出面側から見た図
【図５】記録ヘッド周辺を斜め下方から見た図
【図６】記録ヘッドのクリーニング液供給部材を斜め下方から見た図
【図７】記録ヘッドのヘッド部とクリーニング液供給部材との境界部分の構造を示した図
【図８】記録ヘッドのクリーニング液供給部材を下方から見た図
【図９】記録ヘッドのヘッド部とクリーニング液供給部材との境界部分を下方から見た図
【図１０】記録ヘッド周辺を斜め上方から見た図
【図１１】ワイプユニットを記録部の下方に配置した状態を示す図
【図１２】ワイパーを記録ヘッドの下方に配置した状態を示す図
【図１３】図１２の状態からワイパーを上昇させた状態を示す図
【図１４】図１３の状態からワイパーをクリーニング液供給部材に圧接させた状態で矢印Ａ方向に移動させた状態を示す図
【図１５】図１４の状態からワイパーをさらに矢印Ａ方向に移動させた状態を示す図
【図１６】図１５の状態からワイパーをさらに矢印Ａ方向に移動させた後、ワイパーを下降させインク吐出面から離間させた状態を示す図
【図１７】本発明の変形例の記録ヘッドのヘッド部とクリーニング液供給部材との境界部分を下方から見た図
【発明を実施するための形態】
【００１４】
以下、本発明の実施形態について図面を参照して説明する。
【００１５】
図１に示すように、本発明の一実施形態のインクジェット記録装置１００の左側部には用紙Ｓ（記録媒体）を収容する給紙トレイ２が設けられており、この給紙トレイ２の一端部には収容された用紙Ｓを、最上位の用紙Ｓから順に一枚ずつ後述する第１搬送ユニット５へと搬送給紙するための給紙ローラー３と、給紙ローラー３に圧接され従動回転する従動ローラー４とが設けられている。
【００１６】
用紙搬送方向（矢印Ｘ方向）に対し給紙ローラー３及び従動ローラー４の下流側（図１の右側）には、第１搬送ユニット５及び記録部９が配置されている。第１搬送ユニット５は、第１駆動ローラー６と、第１従動ローラー７と、第１駆動ローラー６及び第１従動ローラー７に掛け渡された第１搬送ベルト８とを含む構成であり、インクジェット記録装置１００の制御部１１０からの制御信号により第１駆動ローラー６が時計回り方向に回転駆動されることにより、第１搬送ベルト８に保持された用紙Ｓが矢印Ｘ方向に搬送される。
【００１７】
記録部９は、ヘッドハウジング１０と、ヘッドハウジング１０に保持されたラインヘッド１１Ｃ、１１Ｍ、１１Ｙ、及び１１Ｋを備えている。これらのラインヘッド１１Ｃ〜１１Ｋは、第１搬送ベルト８の搬送面に対して所定の間隔（例えば１ｍｍ）が形成されるような高さに支持され、図２に示すように、用紙搬送方向と直交する用紙幅方向（図２の上下方向）に沿って複数（ここでは３個）の記録ヘッド１７ａ〜１７ｃが千鳥状に配列されている。
【００１８】
図３及び図４に示すように、記録ヘッド１７ａ〜１７ｃのヘッド部（インク吐出ヘッド部）１８のインク吐出面Ｆ１には、インク吐出口１８ａ（図２参照）が多数配列されたインク吐出領域Ｒ１が設けられている。インク吐出口１８ａの開口径は、例えば２０μｍに設定されている。ヘッド部１８の少なくともインク吐出面Ｆ１は、例えばＳＵＳ（ステンレス鋼）によって形成されている。インク吐出面Ｆ１は、フッ素系またはシリコン系の撥水剤を塗布することにより撥水処理が施されている。なお、記録ヘッド１７ａ〜１７ｃは同一の形状及び構成であるため、図３および図４では記録ヘッド１７ａ〜１７ｃを一つの図で示している。
【００１９】
各ラインヘッド１１Ｃ〜１１Ｋを構成する記録ヘッド１７ａ〜１７ｃには、それぞれインクタンク（図示せず）に貯留されている４色（シアン、マゼンタ、イエロー及びブラック）のインクがラインヘッド１１Ｃ〜１１Ｋの色毎に供給される。
【００２０】
各記録ヘッド１７ａ〜１７ｃは、制御部１１０（図１参照）からの制御信号により外部コンピューターから受信した画像データに応じて、第１搬送ベルト８の搬送面に吸着保持されて搬送される用紙Ｓに向かってインク吐出口１８ａからインクを吐出する。これにより、第１搬送ベルト８上の用紙Ｓにはシアン、マゼンタ、イエロー、ブラックの４色のインクが重ね合わされたカラー画像が形成される。
【００２１】
また、記録ヘッド１７ａ〜１７ｃには、クリーニング液を供給するクリーニング液供給部材（クリーニング液供給ヘッド部）６０が設けられている。クリーニング液供給部材６０は、ヘッド部１８に対して後述するワイパー３５ａ〜３５ｃのワイピング方向上流側（図３の右側）に隣接して配置されている。クリーニング液供給部材６０は、クリーニング液を供給するクリーニング液供給口６０ａ（図６参照）が複数配列されたクリーニング液供給領域Ｒ２を含む下面（クリーニング液供給面）Ｆ２を有する。下面Ｆ２は、インク吐出面Ｆ１と平行に配置されている。クリーニング液供給口６０ａの開口径は、インク吐出口１８ａの開口径よりも大きい、例えば０．１ｍｍに設定されている。なお、クリーニング液供給部材６０は、樹脂によって形成されている。
【００２２】
図３および図５に示すように、クリーニング液供給部材６０の下面Ｆ２に対してワイピング方向上流側（図３の右側）の部分には、傾斜面６２が形成されている。クリーニング液供給部材６０のワイピング方向下流側（図３の左側）の部分には、薄板状の薄板部６５が形成されており、薄板部６５は、ヘッド部１８のインク吐出面Ｆ１の端部の下方に重なって配置されている。これにより、下面Ｆ２とインク吐出面Ｆ１との境界部分には図７に示すように、段差Ｕが形成されている。また、薄板部６５は、例えば０．１ｍｍの厚みに形成されている。なお、図５および後述する図１０では、理解を容易にするために、一部の記録ヘッド１７ａ〜１７ｃのみを描いている。
【００２３】
図６および図８に示すように、クリーニング液供給口６０ａは、ワイピング方向（矢印Ａ方向）と直交するヘッド幅方向（矢印ＢＢ´方向）に所定のピッチで複数個配置されている。なお、図では、ヘッド幅方向に沿って配置される複数のクリーニング液供給口６０ａからなる列を１列のみ描いているが、この列はワイピング方向（矢印Ａ方向）に隣接して複数列設けられていてもよい。
【００２４】
ここで、図９に示すように、クリーニング液供給部材６０の下面Ｆ２のヘッド幅方向（矢印ＢＢ´方向）の長さＬ６０は、ヘッド部１８のインク吐出面Ｆ１のヘッド幅方向の長さＬ１８よりも約１ｍｍ大きく形成されている。このため、下面Ｆ２は、インク吐出面Ｆ１に対してヘッド幅方向に突出量Ｗ６５ａ（＝約０．５ｍｍ）ずつ突出している。
【００２５】
また、下面Ｆ２のヘッド幅方向の長さＬ６０は、ワイパー３５ａ〜３５ｃのヘッド幅方向の長さＬ３５よりも約１ｍｍ小さく形成されている。このため、ワイパー３５ａ〜３５ｃは、下面Ｆ２に対してヘッド幅方向に約０．５ｍｍずつ突出している。
【００２６】
下面Ｆ２のワイピング方向下流側（図９の左側）の端部は、平面視においてＲ形状を有するように形成されており、角張った部分がない。具体的には、下面Ｆ２のワイピング方向下流側の端部の２つのコーナー部６５ａは、平面視においてＲ形状（中心角が９０°の扇形状）を有するように形成されている。コーナー部６５ａの曲率半径は、下面Ｆ２のインク吐出面Ｆ１に対するヘッド幅方向の突出量Ｗ６５ａ（＝約０．５ｍｍ）以上の大きさである。
【００２７】
図５および図１０に示すように、クリーニング液供給部材６０には、クリーニング液が通過するチューブからなる供給路７０の下流端が接続されている。供給路７０の上流端は、クリーニング液供給機構（図示せず）に接続されている。クリーニング液供給機構は、クリーニング液を収容するタンク（図示せず）と、タンクから供給路７０にクリーニング液を汲み上げるポンプ（図示せず）と、によって構成されている。
【００２８】
供給路７０は、上流端では１本の経路によって構成されているが、下流側に向かって分岐を繰り返し、１２本の経路に分岐している。１２本の経路は、記録ヘッド１７ａ〜１７ｃのクリーニング液供給部材６０にそれぞれ接続されている。なお、記録ヘッド１７ａ〜１７ｃ、ワイパー３５ａ〜３５ｃ、供給路７０およびクリーニング液供給機構等によって、ヘッドクリーニング機構が構成されている。
【００２９】
このインクジェット記録装置１００では、記録ヘッド１７ａ〜１７ｃのインク吐出面Ｆ１を清浄にするために、長期間停止後の印字開始時及び印字動作の合間には、全ての記録ヘッド１７ａ〜１７ｃのインク吐出口１８ａからインクを強制的に排出し、並行して全ての記録ヘッド１７ａ〜１７ｃのクリーニング液供給口６０ａ（図６参照）から下面Ｆ２にクリーニング液を供給し、後述するワイパー３５ａ〜３５ｃによりインク吐出面Ｆ１を拭き取り、次の印字動作に備える。
【００３０】
図１に戻って、用紙搬送方向に対し第１搬送ユニット５の下流側（図１の右側）には第２搬送ユニット１２が配置されている。第２搬送ユニット１２は、第２駆動ローラー１３と、第２従動ローラー１４と、第２駆動ローラー１３及び第２従動ローラー１４に掛け渡された第２搬送ベルト１５とを含む構成であり、第２駆動ローラー１３が時計回り方向に回転駆動されることにより、第２搬送ベルト１５に保持された用紙Ｓが矢印Ｘ方向に搬送される。
【００３１】
記録部９にてインク画像が記録された用紙Ｓは第２搬送ユニット１２へと送られ、第２搬送ユニット１２を通過する間に用紙Ｓ表面に吐出されたインクが乾燥される。また、第２搬送ユニット１２の下方にはワイプユニット１９及びキャップユニット９０が配置されている。ワイプユニット１９は、上述したワイパー３５ａ〜３５ｃによる拭き取り動作を実行する際に記録部９の下方に移動し、記録ヘッド１７ａ〜１７ｃのインク吐出口１８ａから強制的に排出されるインク、及びクリーニング液供給口６０ａから供給されたクリーニング液を拭き取り、拭き取られたインクおよびクリーニング液を回収する。また、ワイプユニット１９はステッピングモーター等の駆動源を含む駆動機構（図示せず）により上下方向に昇降可能に構成されており、ワイプユニット１９が昇降することによりワイパー３５ａ〜３５ｃも昇降する。キャップユニット９０は、記録ヘッド１７ａ〜１７ｃのインク吐出面Ｆ１（図３参照）をキャッピングする際に記録部９の下方に水平移動し、さらに上方に移動して記録ヘッド１７ａ〜１７ｃの下面に装着される。
【００３２】
また、用紙搬送方向に対し第２搬送ユニット１２の下流側には、画像が記録された用紙Ｓを装置本体外へと排出する排出ローラー対１６が設けられており、排出ローラー対１６の下流側には、装置本体外へと排出された用紙Ｓが積載される排出トレイ（図示せず）が設けられている。
【００３３】
ワイプユニット１９は、インク吐出面Ｆ１に沿って移動可能な複数のワイパー３５ａ〜３５ｃ（図９および図１２参照）と、複数のワイパー３５ａ〜３５ｃが固定された略矩形状のキャリッジ（図示せず）と、キャリッジを支持する支持フレーム（図示せず）とで構成されている。キャリッジ（図示せず）は支持フレーム（図示せず）に対し矢印ＡＡ´方向に摺動可能に支持される。
【００３４】
ワイパー３５ａ〜３５ｃは、各記録ヘッド１７ａ〜１７ｃのクリーニング液供給口６０ａ（図６参照）から供給されたクリーニング液、及びインク吐出口１８ａから押出されたインクを拭き取るための弾性部材（例えばＥＰＤＭからなるゴム製の部材）である。ワイパー３５ａ〜３５ｃは、クリーニング液供給部材６０のクリーニング液供給領域Ｒ２（図４参照）に対してワイピング方向上流側の部分（ここでは、傾斜面６２）に圧接され、キャリッジ（図示せず）の移動により下面Ｆ２およびインク吐出面Ｆ１を所定方向（矢印Ａ方向）に拭く。
【００３５】
次に、本実施形態のインクジェット記録装置１００における、ワイプユニット１９を用いた記録ヘッド１７ａ〜１７ｃの回復動作について説明する。なお、以下で説明する記録ヘッド１７ａ〜１７ｃの回復動作は、制御部１１０（図１参照）からの制御信号に基づいて記録ヘッド１７ａ〜１７ｃ、ワイプユニット１９等の動作を制御することによって実行される。
【００３６】
記録ヘッド１７ａ〜１７ｃの回復動作を行う場合、先ず、図１１に示すように、制御部１１０（図１参照）は記録部９の下方に位置する第１搬送ユニット５を下降させる。そして、制御部１１０は第２搬送ユニット１２の下方に配置されたワイプユニット１９を水平移動させて記録部９と第１搬送ユニット５との間に配置する。この状態では、ワイプユニット１９のワイパー３５ａ〜３５ｃ（図１２参照）は記録ヘッド１７ａ〜１７ｃのインク吐出面Ｆ１および下面Ｆ２（図１２参照）よりも下方に配置されている。
【００３７】
（クリーニング液供給動作）
ワイピング動作（後述の拭き取り動作）に先立って、図１２に示すように、制御部１１０（図１参照）によってクリーニング液２３が記録ヘッド１７ａ〜１７ｃに供給される。供給されたクリーニング液２３はクリーニング液供給口６０ａ（図６参照）から下面Ｆ２に所定量だけ供給される。なお、図では、理解を容易にするために、クリーニング液２３にハッチングを施している。
【００３８】
（インク押出動作）
また、ワイピング動作（後述の拭き取り動作）に先立って、図１２に示すように、制御部１１０（図１参照）によってインク２２が記録ヘッド１７ａ〜１７ｃに供給される。供給されたインク２２はインク吐出口１８ａから強制的に押出（パージ）される。このパージ動作により、インク吐出口１８ａ内の増粘インク、異物や気泡がインク吐出口１８ａから排出される。このとき、パージインク２２はインク吐出口１８ａの存在するインク吐出領域Ｒ１の形状に沿ってインク吐出面Ｆ１に押出される。なお、図では、理解を容易にするために、インク（パージインク）２２にハッチングを施している。
【００３９】
（拭き取り動作）
制御部１１０は図１３に示すように、ワイパー３５ａ〜３５ｃを記録ヘッド１７ａ〜１７ｃのクリーニング液供給部材６０の傾斜面６２の真下の位置（クリーニング液供給領域Ｒ２よりもワイピング方向の上流側（図１３の右側）の位置）Ｐ１で上昇させる。このとき、ワイパー３５ａ〜３５ｃの上面が下面Ｆ２よりも高くなるように、ワイパー３５ａ〜３５ｃを上昇させる。なお、ワイパー３５ａ〜３５ｃを上昇させた時点では、ワイパー３５ａ〜３５ｃは傾斜面６２に圧接していてもよいし、圧接していなくてもよい。
【００４０】
図１３の状態から、制御部１１０はワイパー３５ａ〜３５ｃを図１４に示すように下面Ｆ２に沿ってインク吐出領域Ｒ１の方向（矢印Ａ方向）に水平移動させる。これにより、ワイパー３５ａ〜３５ｃは、クリーニング液２３を拭き取るとともに保持した状態で下面Ｆ２をインク吐出領域Ｒ１の方向に移動する。
【００４１】
その後、図１５に示すように、ワイパー３５ａ〜３５ｃは、クリーニング液２３を保持した状態を維持しながらインク吐出面Ｆ１を左方向（矢印Ａ方向）に移動する。このとき、クリーニング液２３およびインク（パージインク）２２によって、インク吐出面Ｆ１に付着して固化したインク滴（廃インク）が溶解し、ワイパー３５ａ〜３５ｃによって拭き取られる。そして、ワイパー３５ａ〜３５ｃは、さらに左方向（矢印Ａ方向）に移動し、インク吐出領域Ｒ１に対してクリーニング液供給領域Ｒ２とは反対側の位置Ｐ２に到達すると、左方向への移動が停止される。なお、ワイパー３５ａ〜３５ｃによって拭き取られたクリーニング液２３および廃インクは、ワイプユニット１９に設けられた回収トレイ（図示せず）に回収される。
【００４２】
（離間動作）
拭き取り動作の実行後、図１６に示すように、制御部１１０はワイパー３５ａ〜３５ｃを下降させてインク吐出面Ｆ１から離間させる。
【００４３】
最後に、制御部１１０は、記録部９と第１搬送ユニット５との間に配置されたワイプユニット１９を水平移動させて第２搬送ユニット１２の下方に配置し、第１搬送ユニット５を所定の位置まで上昇させる。このようにして、記録ヘッド１７ａ〜１７ｃの回復動作を終了する。
【００４４】
本実施形態では、上記のように、記録ヘッド１７ａ〜１７ｃは、インク２２を吐出するヘッド部１８と、クリーニング液２３を供給するクリーニング液供給部材６０と、によって構成されている。これにより、記録ヘッド１７ａ〜１７ｃにおけるインク通過経路とクリーニング液通過経路とを別々の部材（ヘッド部１８およびクリーニング液供給部材６０）に形成することができるので、記録ヘッド１７ａ〜１７ｃの構造が複雑になるのを抑制することができる。
【００４５】
また、クリーニング液供給部材６０の下面Ｆ２のヘッド幅方向の長さＬ６０は、インク吐出面Ｆ１のヘッド幅方向の長さＬ１８よりも大きい。これにより、ヘッド部１８とクリーニング液供給部材６０とがヘッド幅方向にずれて配置されたとしても、インク吐出面Ｆ１のヘッド幅方向の一端がクリーニング液供給部材６０の下面Ｆ２に対してヘッド幅方向に突出するのを抑制することができる。このため、下面Ｆ２のクリーニング液２３をインク吐出面Ｆ１のヘッド幅方向全域にわたって供給することができるので、インク吐出面Ｆ１をヘッド幅方向全域にわたって清浄化することができる。
【００４６】
また、上記のように、クリーニング液供給部材６０のワイピング方向の下流側の部分には、インク吐出面Ｆ１の端部の下方に重なる薄板部６５が形成されている。これにより、ヘッド部１８とクリーニング液供給部材６０との隙間にクリーニング液２３が浸入するのを抑制することができる。
【００４７】
また、上記のように、ワイパー３５ａ〜３５ｃのヘッド幅方向の長さＬ３５は、下面Ｆ２のヘッド幅方向の長さＬ６０よりも大きく、下面Ｆ２のワイピング方向の下流側の端部の２つのコーナー部６５ａは、平面視においてＲ形状を有するように形成されている。これにより、ワイパー３５ａ〜３５ｃが下面Ｆ２からインク吐出面Ｆ１に移動する際にワイパー３５ａ〜３５ｃが下面Ｆ２のコーナー部６５ａで損傷するのを抑制することができる。なお、コーナー部６５ａが平面視において直角に形成されている場合、コーナー部６５ａがワイパー３５ａ〜３５ｃを傷つけ、ワイパー３５ａ〜３５ｃのヘッド幅方向の端部がワイピング方向に沿って切れてしまう。
【００４８】
また、クリーニング液供給部材６０の薄板部６５がインク吐出面Ｆ１の端部の下方に重なって配置されている場合、すなわち下面Ｆ２がインク吐出面Ｆ１よりも下方に配置されている場合、ワイパー３５ａ〜３５ｃの下面Ｆ２に対する圧接力は、ワイパー３５ａ〜３５ｃのインク吐出面Ｆ１に対する圧接力よりも大きくなる。このため、ワイパー３５ａ〜３５ｃが下面Ｆ２からインク吐出面Ｆ１に移動する際にワイパー３５ａ〜３５ｃが下面Ｆ２のコーナー部６５ａで損傷しやすくなる。従って、下面Ｆ２がインク吐出面Ｆ１よりも下方に配置されている構成において下面Ｆ２のワイピング方向の下流側の端部をＲ形状に形成することは、特に効果的である。
【００４９】
また、上記のように、コーナー部６５ａの曲率半径は、下面Ｆ２のインク吐出面Ｆ１に対するヘッド幅方向の突出量Ｗ６５ａ以上の大きさである。これにより、コーナー部６５ａのＲ形状を大きくすることができるので、ワイパー３５ａ〜３５ｃがコーナー部６５ａで損傷するのをより抑制することができる。
【００５０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
例えば、上記実施形態では、下面Ｆ２とインク吐出面Ｆ１との間に段差Ｕを設けた例について示したが、本発明はこれに限らない。すなわち、下面Ｆ２とインク吐出面Ｆ１とを面一に形成してもよい。
【００５２】
また、上記実施形態では、クリーニング液供給口６０ａが開口するクリーニング液供給領域Ｒ２を下面Ｆ２に設けた例について示したが、傾斜面６２に設けてもよい。この場合、傾斜面６２に供給されたクリーニング液２３は傾斜面６２を伝って下面Ｆ２まで流れるので、ワイパー３５ａ〜３５ｃによってクリーニング液２３を拭き取ることができる。なお、クリーニング液供給面は、傾斜面６２と下面Ｆ２とによって構成される。
【００５３】
また、上記実施形態では、下面Ｆ２のワイピング方向下流側の端部の２つのコーナー部６５ａを、平面視においてＲ形状を有するように形成した例について示したが、本発明はこれに限らない。例えば図１７に示した本発明の変形例の記録ヘッド１７ａ〜１７ｃのように、下面Ｆ２のワイピング方向の下流側の端部を、平面視において半円形状に形成してもよい。このように構成すれば、下面Ｆ２のワイピング方向の下流側の端部のＲ形状をより大きくすることができるので、ワイパー３５ａ〜３５ｃが損傷するのをより抑制することができる。また、ワイパー３５ａ〜３５ｃはヘッド幅方向の中央部が段差Ｕを通過するまで徐々にインク吐出面Ｆ１に接触（着地）することになるので、ワイパー３５ａ〜３５ｃがインク吐出面Ｆ１に着地した際に跳ねるのを抑制することができる。このため、段差Ｕにクリーニング液２３が残留するのを抑制することができる。
【００５４】
また、上記実施形態では、クリーニング液２３およびインク（パージインク）２２を用いて記録ヘッド１７ａ〜１７ｃの回復動作を行う例について示したが、クリーニング液２３だけを用いて記録ヘッド１７ａ〜１７ｃの回復動作を行ってもよい。すなわち、インク押出動作を行わなくてもよい。
【符号の説明】
【００５５】
１７ａ〜１７ｃ  記録ヘッド
１８  ヘッド部（インク吐出ヘッド部）
１８ａ  インク吐出口
２２  インク
２３  クリーニング液
３５ａ〜３５ｃ  ワイパー
６０  クリーニング液供給部材（クリーニング液供給ヘッド部）
６０ａ  クリーニング液供給口
６５  薄板部
６５ａ  コーナー部
１００  インクジェット記録装置
Ｆ１  インク吐出面
Ｆ２  下面（クリーニング液供給面）
Ｌ１８、Ｌ３５、Ｌ６０  長さ
Ｓ  用紙（記録媒体）
Ｕ  段差
Ｗ６５ａ  突出量
【図１】
2018130931.tif 000003
【図２】
2018130931.tif 000004
【図３】
2018130931.tif 000005
【図４】
2018130931.tif 000006
【図５】
2018130931.tif 000007
【図６】
2018130931.tif 000008
【図７】
2018130931.tif 000009
【図８】
2018130931.tif 000010
【図９】
2018130931.tif 000011
【図１０】
2018130931.tif 000012
【図１１】
2018130931.tif 000013
【図１２】
2018130931.tif 000014
【図１３】
2018130931.tif 000015
【図１４】
2018130931.tif 000016
【図１５】
2018130931.tif 000017
【図１６】
2018130931.tif 000018
【図１７】
2018130931.tif 000019